(57)【特許請求の範囲】
【請求項１】
通信網に接続され、少なくとも１つのサーバ装置により構成されるサーバシステムにおいて、前記通信網に無線接続される移動通信端末装置から送られた電子情報のダウンロードの指令を受信する時期の設定要求に応じて、前記移動通信端末装置に前記電子情報のダウンロードを指令する時期を設定するダウンロード時期設定工程と；
前記ダウンロード時期設定工程において設定された前記時期に、前記サーバシステムが前記移動通信端末装置に対して前記電子情報のダウンロードを指令するダウンロード指令工程と；
前記ダウンロード指令工程において指令された前記移動通信端末装置が、前記電子情報のダウンロードに際して、バッテリの残量が十分であるか否かを判定するバッテリ残量判定工程と；
前記バッテリ残量判定工程における判定の結果が肯定的であった場合に、前記移動通信端末装置が、前記電子情報のダウンロードが必要であるか否かを判定するダウンロード要否判定工程と；
前記ダウンロード要否判定工程における判定の結果が肯定的であった場合に、前記移動通信端末装置が、前記サーバシステムから前記電子情報のダウンロードを行うダウンロード工程と；を備えるダウンロード方法。
【請求項２】
前記ダウンロード時期設定工程における前記時期は、ダウンロードの際に前記サーバシステムにかかる負荷に基づいて設定される、ことを特徴とする請求項１に記載のダウンロード方法。
【請求項３】
前記ダウンロード工程の後、前記サーバシステムが、前記移動通信端末装置において前記電子情報がダウンロードされた旨を記録するダウンロードステータス記録工程を更に備える、ことを特徴とする請求項１又は２に記載のダウンロード方法。
【請求項４】
通信網と；
前記通信網に接続され、少なくとも１つのサーバ装置により構成されるサーバシステムと；
前記サーバシステムからの指令により、電子情報をダウンロードする移動通信端末装置と；を備え、
前記サーバシステムは、
前記移動通信端末装置から送られた電子情報のダウンロードの指令を受信する時期の設定要求に応じて、前記移動通信端末装置に前記電子情報のダウンロードを指令する時期を設定するダウンロード時期設定手段と；
前記ダウンロード時期設定手段において設定された前記時期に、前記移動通信端末装置に対して前記電子情報のダウンロードを指令するダウンロード指令手段と；
前記ダウンロード指令手段による指令を受けた前記移動通信端末装置からの前記電子情報のダウンロードの要求を受けて、前記電子情報をダウンロードさせるダウンロード手段と；を備え、
前記移動通信端末装置は、
前記電子情報のダウンロードの指令を受信する時期の設定を、前記サーバシステムに要求するダウンロード時期設定要求手段と；
前記サーバシステムから送られた前記電子情報のダウンロードの指令を受けた場合に、前記電子情報のダウンロードに際して、バッテリの残量が十分であるか否かを判定するバッテリ残量判定手段と；
前記バッテリ残量判定手段による判定の結果が肯定的であった場合に、前記電子情報のダウンロードが必要であるか否かを判定するダウンロード要否判定手段と；
前記ダウンロード要否判定手段による判定の結果が肯定的であった場合に、前記サーバシステムへ前記電子情報のダウンロードの要求を行うダウンロード要求手段と；を備える移動通信システム。
【発明の詳細な説明】
【技術分野】
【０００１】
本発明は、ダウンロード方法及び移動通信システムに係り、より詳しくはプログラムをはじめとする電子情報を通信網を介してダウンロードするダウンロード方法及びその方法を使用した移動通信システムに関する。
【背景技術】
【０００２】
近年、通話やメールの機能だけでなく、ゲームやカメラ等の機能を備えた多機能の移動通信端末装置である携帯電話が広く普及している。このように複雑化した機能を備える携帯電話においては、開発期間が限られていることもあり、ソフトウェアの不具合を解消しきれずに販売が開始されてしまうことがある。こうした場合に利用者は、その携帯電話を取り扱う店舗等に利用者が出向いて、不具合が修正されたソフトウェアを再度インストールし直したり、販売又は製造業者が回収／修理して、利用者に返却したりすることが一般的となっている。
【０００３】
既に販売された携帯電話のソフトウェアの不具合を解消する方法は、この他にも、移動通信網を介して、直接、利用者の移動通信端末装置に修正されたソフトウェアをダウンロードし、不具合を修正したソフトウェアをインストールする方法が提案され、実用化されている。特許文献１には、携帯電話端末から、サーバに携帯電話端末にインストールされたソフトウェアが、最新のバージョンのソフトウェアかどうかを問い合わせ、そこで、最新のバージョンのソフトウェアでない場合には、携帯電話端末はバージョンアップ情報をサーバから受信して、バージョンアップする方法が開示されている。また、特許文献２には、利用者の操作によらずに、サーバがソフトウェア配信の対象となる携帯電話端末を特定し、更新用ソフトウェアを配信し、携帯電話端末は、配信された更新用ソフトウェアをダウンロードして更新する方法が開示されている。
【０００４】
一方、このようなソフトウェアのダウンロード等に利用されるサーバからデータをダウンロードする方法としては、携帯電話装置のタイマを利用して、所定の時刻にインターネットサイト等にアクセスし、データの取得を行う方法等が開示されている（特許文献３等参照）。
【０００５】
【特許文献１】特開２００３−１２２５７６号公報
【特許文献２】特開２００３−２２９９７４号公報
【特許文献３】特開２００４−１８５０９１号公報
【発明の開示】
【発明が解決しようとする課題】
【０００６】
上述した従来の技術は、電子情報をネットワークからダウンロードして利用する方法として優れた技術である。しかし、特許文献１における携帯電話装置の利用者からの要求によるダウンロードや、特許文献３における携帯電話装置のタイマによるダウンロードでは、電子情報の提供側のコストダウンは図れるものの、データがサーバ装置にアップロードされた際に、そのサーバ装置にアクセスが集中してしまい、繋がりにくい事態が起こったり、最悪の場合にはサーバ装置がダウンしてしまう事態が起こったりすることが考えられる。また、通話等が頻繁に行われる昼間の時間帯にダウンロードが多数行われた場合には、通信トラフィックが集中し、通話で利用したい人が利用できない事態となったり、電波状態によっては、ダウンロードの途中で通信が中断してしまい、再度初めからやり直さなければならない事態となったりする可能性もある。
【０００７】
また、特許文献２に示された、利用者の操作によらずにサーバから修正されたソフトウェアをダウンロードさせる方法では、利用者が指示を与えることなくダウンロードできるため、利用者の手間を省くことができ、操作に不慣れな人にとって非常に有用である。しかし、利用者の所有物である携帯電話に対して、ネットワーク側の指示によりソフトウェアをダウンロードすることになるため、ソフトウェアの更新に失敗した場合には、突然端末が使用できなくなってしまうという利用者にとって不測の事態が起こりうることとなる。
【０００８】
本発明は、上記の事情を鑑みてなされたものであり、必要に応じて電子情報のダウンロードを行うかどうかを決定できるとともに、ダウンロードを行うサーバ装置への負荷及び通信トラフィックを分散することができるダウンロード方法及び移動通信システムを提供することを目的とする。
【課題を解決するための手段】
【０００９】
本発明のダウンロード方法は、通信網に接続され、少なくとも１つのサーバ装置により構成されるサーバシステムにおいて、前記通信網に無線接続される移動通信端末装置から送られた電子情報のダウンロードの指令を受信する時期の設定要求に応じて、前記移動通信端末装置に前記電子情報のダウンロードを指令する時期を設定するダウンロード時期設定工程と；前記ダウンロード時期設定工程において設定された前記時期に、前記サーバシステムが前記移動通信端末装置に対して前記電子情報のダウンロードを指令するダウンロード指令工程と；前記ダウンロード指令工程において指令された前記移動通信端末装置が、前記電子情報のダウンロードに際して、バッテリの残量が十分であるか否かを判定するバッテリ残量判定工程と；前記バッテリ残量判定工程における判定の結果が肯定的であった場合に、前記移動通信端末装置が、前記電子情報のダウンロードが必要であるか否かを判定するダウンロード要否判定工程と；前記ダウンロード要否判定工程における判定の結果が肯定的であった場合に、前記移動通信端末装置が、前記サーバシステムから前記電子情報のダウンロードを行うダウンロード工程と；を備えるダウンロード方法である。
【００１０】
ここで、「通信網」には、移動通信網をはじめそれに接続されたインターネット網等も含まれる。また、「電子情報」とは、プログラムその他のデータであって、パソコンや携帯電話等の電子情報機器により取り扱うことのできる情報を意味する。また、「時期を設定」には、「日時」等の設定だけでなく「何時間後」等の時間の設定も含まれることとする。また、このダウンロード方法におけるサーバシステムは、少なくとも１つのサーバ装置により構成されているため、サーバシステムにより実行される各工程は異なるサーバ装置により実行されるものであってもよい。したがって、このダウンロード方法によれば、必要性に応じて電子情報のダウンロードを行うかどうかを決定できるとともに、ダウンロードを行うサーバ装置への負荷及び通信トラフィックを分散することができる。
また、移動通信端末装置による電子情報のダウンロードの時期の設定要求に応じて、電子情報のダウンロードの時期が設定されるため、利用者における電子情報の必要性により、ダウンロードを行うこと及びダウンロードを行う時期を決定することができ、利用者の利便性と向上することができる。
【００１２】
また、本発明のダウンロード方法では、前記ダウンロード時期設定工程における前記時期は、ダウンロードの際に前記サーバシステムにかかる負荷に基づいて設定される、とすることができる。したがって、この方法によれば、ダウンロードの時期を分散してスケジュールする等により、サーバシステムを安定して稼働させることができる。
【００１３】
また、本発明のダウンロード方法では、前記ダウンロード工程の後、前記サーバシステムが、前記移動通信端末装置において前記電子情報がダウンロードされた旨を記録するダウンロードステータス記録工程を更に備える、とすることができる。したがって、この方法によれば、各移動通信端末装置にダウンロードされた電子情報を把握することにより、移動通信端末装置にサービスを提供する者は、各移動通信端末装置に発生した不具合や提供できるサービスについて的確に把握することができる。
【００１６】
本発明の移動通信システムは、通信網と；前記通信網に接続され、少なくとも１つのサーバ装置により構成されるサーバシステムと；前記サーバシステムからの指令により、電子情報をダウンロードする移動通信端末装置と；を備え、前記サーバシステムは、前記移動通信端末装置から送られた電子情報のダウンロードの指令を受信する時期の設定要求に応じて、前記移動通信端末装置に前記電子情報のダウンロードを指令する時期を設定するダウンロード時期設定手段と；前記ダウンロード時期設定手段において設定された前記時期に、前記移動通信端末装置に対して前記電子情報のダウンロードを指令するダウンロード指令手段と；前記ダウンロード指令手段による指令を受けた前記移動通信端末装置からの前記電子情報のダウンロードの要求を受けて、前記電子情報をダウンロードさせるダウンロード手段と；を備え、前記移動通信端末装置は、前記電子情報のダウンロードの指令を受信する時期の設定を、前記サーバシステムに要求するダウンロード時期設定要求手段と；前記サーバシステムから送られた前記電子情報のダウンロードの指令を受けた場合に、前記電子情報のダウンロードに際して、バッテリの残量が十分であるか否かを判定するバッテリ残量判定手段と；前記バッテリ残量判定手段による判定の結果が肯定的であった場合に、前記電子情報のダウンロードが必要であるか否かを判定するダウンロード要否判定手段と；前記ダウンロード要否判定手段による判定の結果が肯定的であった場合に、前記サーバシステムへ前記電子情報のダウンロードの要求を行うダウンロード要求手段と；を備える移動通信システムである。
【発明の効果】
【００１７】
以上説明したように、本発明のダウンロード方法及び移動通信システムによれば、必要に応じて、電子情報のダウンロードを行うかどうかを決定できるとともに、ダウンロードを行うサーバシステムへの負荷及び通信トラフィックを分散することができるという効果を奏する。
【発明を実施するための最良の形態】
【００１８】
以下、本発明の一実施形態を、図１〜図１２を参照しつつ説明する。なお、これらの図においては、同一又は同等の要素には同一の符号を付し、重複する説明を省略する。
【００１９】
図１には、本発明の一実施形態である移動通信システム１００の構成が模式的に示されている。図１に示されるように、この移動通信システム１００は、（ａ）移動通信端末装置である携帯電話１０と、（ｂ）携帯電話１０が、直接無線通信を行う基地局４１と、（ｃ）基地局４１に接続された移動通信網４０と、（ｄ）移動通信網４０に接続されたサーバ装置５０とを備えている。
【００２０】
図２には、携帯電話１０の外観構成が概略的に示されている。図２に示されるように、携帯電話１０は、（ｉ）電話番号を入力するためのテンキー、及び、動作モードの切替等の各種指令を入力するためのファンクションキーを有する操作部１２と、（ii）携帯電話１０の操作案内、動作状況等を表示する液晶表示装置を有する表示装置１３と、（iii）通話時に通信相手から送られてきた音声信号を再生する通話用スピーカ１４と、（iv）集音時に音を入力したり、通話時に音声を入力したりするためのマイクロフォン１５と、（ｖ）着信音や案内音を発生するための案内用スピーカ１６と、（vi）基地局４１と無線通信を行うためのアンテナ１７とを備えている。また、携帯電話１０の内部には、新しいバージョンのプログラムをダウンロードして、インストールするためのアプリケーションプログラムである、不図示のデバイスマネージメントアプリケーション（以下、「ＤＭアプリケーション」という。）がインストールされている。
【００２１】
図３には、サーバ装置５０の内部構成が概略的に示されている。サーバ装置５０は、サーバ装置５０のシステム全体を統括制御する制御部５１と、移動通信網４０と接続されて送受信を行う送受信部５２とを備えている。この制御部５１は、設定された日時に携帯電話１０に対してプログラムのダウンロードの指令を行うダウンロード指令制御部５３と、携帯電話１０からダウンロードの要求がされた際にプログラムをダウンロードさせるダウンロード制御部５４とを備えている。
【００２２】
ダウンロード指令制御部５３は、（ａ）携帯電話１０にプログラムのダウンロードの指令を行うダウンロード指令部６１と、（ｂ）ダウンロードの指令をする日時を設定するダウンロード日時設定部６２と、（ｃ）携帯電話１０から通知されるプログラムのバージョンと、後述のプログラム保存部６６に保存された最新のプログラムのバージョンを比較して、ダウンロードすべきプログラムがあるかどうか等を確認する更新確認部６３と、（ｄ）設定された日時になったときに、ダウンロード指令部６１に設定日時の到来を通知するタイマ部６４とを備えている。
【００２３】
また、ダウンロード制御部５４は、（ａ）携帯電話１０からの要求に応じて、プログラムをダウンロードさせるダウンロード実行部６５と、（ｂ）ダウンロード実行部６５により、ダウンロードされるプログラムが保存されたプログラム保存部６６と、（ｃ）各携帯電話ごとに、プログラムのダウンロード及びインストールが行われたかどうかのステータスが保存されるステータス保存部６７とを備えている。
【００２４】
なお、制御部５１の各機能は、ソフトウェアプログラムの指令等により、不図示の中央処理装置（ＣＰＵ）、記憶装置（ＲＡＭ等）等のハードウェアにより実行される。次に、上記のように構成された移動通信システム１００におけるプログラムのダウンロード方法について説明する。
【００２５】
図４には、ダウンロードの予約を行う際の処理のシーケンス図が示されている。ここに示されるように、まず、ステップＳ１１において、携帯電話１０の利用者がＤＭアプリケーションを起動する。起動されたＤＭアプリケーションは、図５の画面７１を表示すると共に、ステップＳ１２において、バッテリー残量を確認する。ここで、バッテリーの残量が足りない場合には、図６の画面９１を表示装置１３に表示して、処理を終了する。バッテリーの残量が十分であると確認され、利用者が画面７１の指示に従いＰＩＮ（Personal Identification Number）を入力すると、ステップＳ１３において、携帯電話１０によりＰＩＮの認証が行われる。ＰＩＮが認証されると、携帯電話１０は図５の画面７２を表示し、基地局４１と移動通信網４０を介したｈｔｔｐ(HyperText Transfer Protocol)通信により、サーバ装置５０に対して、携帯電話１０にインストールされているプログラムのバージョン情報を送信し、プログラムの更新が必要かどうかの更新確認要求を行う。以後の説明において、携帯電話１０とサーバ装置５０の通信は、基地局４１と移動通信網４０を介したｈｔｔｐ通信により行われることとする。
【００２６】
サーバ装置５０の更新確認部６３は、送受信部５２を介して、バージョン情報と更新確認要求を受信し、受信したプログラムのバージョンよりも新しいバージョンのプログラムがダウンロード可能かどうかの確認を行う。また、更新確認部６３は、ダウンロード日時設定部６２からダウンロード予約の情報を取得し、既にダウンロードの予約がされていないかどうかも確認する。引き続き、更新確認部６３は確認の結果を、送受信部５２を介し、携帯電話１０へ応答する。更新確認の結果を受信した携帯電話１０は、ステップＳ１４において、新しいバージョンのプログラムのダウンロードが必要である場合で、未だダウンロードの予約がされていない又は予約がされていた場合でも利用者により予約をし直す旨の指令があった場合には、更新の必要ありと判定され、図５に示される画面７３を表示する。
【００２７】
一方、ステップＳ１４において、携帯電話１０にインストールされたプログラムが既に最新のバージョンである場合や既にダウンロードの予約がされている場合でその予約を維持する場合等には、更新の必要なしと判定し、図７の画面９２を表示装置１３に表示して、処理を終了する。更新の必要がありと判定され、画面７３が表示された場合には、利用者は、画面７３に示された「１．今すぐ更新する。」、「２．更新の予約をする。」及び「３．更新しない。」のうちからひとつを選択する。ここで、「３．更新しない」を選択した場合（ステップＳ１５）には、そのままＤＭアプリケーションを終了する。また、「１．今すぐ更新する。」を選択した場合（ステップＳ１６）には、後述する図１０の処理へ移行し、「２．更新の予約をする。」を選択した場合（ステップＳ１６）には、ダウンロードとインストールの希望日時を入力する画面である図５の画面７４を表示する。
【００２８】
ここで、利用者が表示された日時のうち、ダウンロードを希望する日時を選択すると、図４に示されるように、携帯電話１０はサーバ装置５０に、ダウンロードの日時の設定を要求する。送受信部５２を介して、日時の設定の要求を受信したサーバ装置５０のダウンロード日時設定部６２は、要求された日時に設定が可能かどうか判定し、日時が設定可能な場合には、タイマ部６４に携帯電話１０へのダウンロード日時を設定し、日時設定した旨を携帯電話１０に応答する。一方、既に、その日時において多くのダウンロードの予約がされており、設定が不可能と判定される場合には設定は行わずに、日時を設定できない旨を携帯電話１０に応答する。日時が設定できない旨の応答を受信した携帯電話１０は、ステップＳ１７において、日時設定が完了していないと判定し、図５の画面７５を表示し、利用者に未だ設定要求をしていない日時を選択させ、日時設定要求及び日時設定応答の動作を、日時設定が完了するまで繰り返す。一方、ステップＳ１７において、日時設定が完了していると判定すると、携帯電話１０は図５の画面７６を表示し、予約が完了した旨を利用者に伝える。
【００２９】
次に、設定日時が到来した際の処理について、図８を参照しつつ説明する。設定日時が到来するとサーバ装置５０のタイマ部６４は、設定日時である旨をダウンロード指令部６１に通知する。ダウンロード指令部６１は、当該通知が携帯電話１０へプログラムをダウンロードすべき日時であることを認識し、送受信部５２を介して、携帯電話１０にダウンロードの指令を行う。ダウンロード指令を受信した携帯電話１０は、ステップＳ２１において、ＤＭアプリケーションを起動して、図９における画面８１を表示すると共に、ステップＳ２２において、バッテリー残量を確認する。ここで、バッテリーの残量が足りない場合には、図６の画面９１を表示装置１３に表示して、処理を終了する。バッテリーの残量が十分である場合には、図９の画面８２を表示し、図４での処理と同様に、更新確認の要求をサーバ装置５０に対して行う。ここで、既にプログラムが更新されていた場合等には、ステップＳ２３において、更新の必要がないと判定され、図７の画面９２を表示装置１３に表示して、処理を終了する。一方、ステップＳ２３において、更新の必要ありと判定された場合には、ダウンロード中であることを示す図９の画面８３を表示し、図１０に示されるダウンロードの処理へ移行する。
【００３０】
画面８３を表示した携帯電話１０は、図１０に示されるように、サーバ装置５０にダウンロードを要求する。送受信部５２を介して、ダウンロードの要求を受信したサーバ装置５０のダウンロード実行部６５は、プログラム保存部６６からダウンロードすべきプログラムを取り出し、送受信部５２を介して、携帯電話１０に送信する。ここで、ステップＳ３１において、携帯電話１０においてダウンロードに失敗したと判定された場合には、５分おきに３回ダウンロードを試みる（ステップＳ３２、Ｓ３３）。３回とも失敗した場合には、ダウンロードに失敗した旨を表す、図１１の画面９３を表示装置１３に表示して、処理を終了する。一方、ステップＳ３１において、ダウンロードに成功したと判定された場合には、ダウンロードが完了した旨を、送受信部５２を介して、サーバ装置５０のステータス保存部６７に通知し、図９の画面８４を表示装置１３に表示する。ダウンロードが完了した旨を受信したサーバ装置５０は、ステータス保存部６７に、携帯電話１０に当該プログラムがダウンロードされた旨を記録する。
【００３１】
引き続き、携帯電話１０は、図１０のステップＳ３４において、ダウンロードしたプログラムのインストール処理を開始する。インストール処理が終了し、ステップＳ３５において、インストールが成功したと判定されると、ダウンロードが成功した場合と同様に、インストールが完了した旨を、サーバ装置５０のステータス保存部６７に通知し、表示装置１３に図９の画面８５を表示して、処理を終了する。インストールが完了した旨を通知された携帯電話１０は、ステータス保存部６７に、携帯電話１０に当該プログラムがインストールされた旨を記録する。一方、ステップＳ３５において、インストールが失敗したと判定された場合には、インストールに失敗した旨を表す、図１２の画面９４を表示して、処理を終了する。
【００３２】
以上、説明したように本実施形態では、まず、利用者がＤＭアプリケーションを起動し、サーバ装置５０に対して、携帯電話１０のプログラムの更新の必要があるかどうかを確認する。ここで、プログラムの更新が必要であると判定された場合には、利用者はプログラムの更新の予約をサーバ装置５０に対して行い、サーバ装置５０のダウンロード日時設定部６２は、タイマ部６４にダウンロードの日時を設定する。そして、設定日時が到来した際には、サーバ装置５０は、携帯電話１０に対して、ダウンロード指令を行い、それを受信した携帯電話１０はＤＭアプリケーションを起動し、サーバ装置５０からプログラムのダウンロードを行う。ダウンロードが完了すると、引き続き、インストールを行い、プログラムの更新を完了する。
【００３３】
したがって、本実施形態によれば、プログラムのバージョンアップの必要性に応じてダウンロードを行うかどうかを決定できるとともに、サーバ装置５０によりダウンロードの日時を設定しているため、サーバ装置５０でのダウンロード時における負荷及びダウンロードの通信トラフィックを分散することができる。
【００３４】
また、本実施形態によれば、携帯電話１０の指令により、サーバ装置５０にダウンロードの日時が設定されるため、利用者における電子情報の必要性により、ダウンロードを行うこと及びその時期を決定することができ、利用者の利便性を向上することができる。
【００３５】
また、本実施形態によれば、サーバ装置５０において、多くのダウンロード予約がされている日時をさけて、他の日時にダウンロードの予約をすることとしているため、サーバシステムの集中的な負荷を抑えることができる。
【００３６】
また、本実施形態によれば、携帯電話１０にダウンロード及びインストールされた情報が、サーバ装置５０に記録されるため、携帯電話１０にサービスを提供する者は、この情報を用いて、携帯電話１０に発生した不具合や提供できるサービスについて的確に把握して、対応することができる。
【００３７】
なお、本実施形態においては、利用者自身がダウンロードを行う日時を設定することとしたが、図１３のシーケンス図に示されるように、携帯電話１０の不具合が起こった際等の連絡先であるコールセンタ９８に連絡して、コールセンタ９８がコールセンタ端末装置９９を操作して、携帯電話１０にプログラムのダウンロードをさせる日時を設定する等、第３者がダウンロードを行う日時を設定することとしてもよい。この場合には、利用者自らがダウンロードの設定を行わなくとも、利用者にプログラムをダウンロードさせることができる。
【００３８】
また、本実施形態においては、ダウンロードの指令、ダウンロードの実行及びステータスの記録を行うサーバ装置を同一のサーバ装置としたが、別々のサーバ装置で実現するサーバシステムとしてもよい。
【００３９】
また、本実施形態においては、携帯電話１０のバージョンアップに係るプログラムをダウンロードすることとしたが、ダウンロードの対象となる電子情報は、バージョンアップのプログラムに限らず、アプリケーションプログラムやデータその他の電子情報としてもよい。
【００４０】
また、本実施形態においては、ｈｔｔｐ通信により、ダウンロード指令を行うこととしたが、ＷＡＰ(Wireless Application Protocol)やＳＭＳ(Short Message Service)で使用される通信プロトコルやその他の通信プロトコルを用いてもよい。
【００４１】
また、本実施形態においては、利用者が、携帯電話１０にインストールされたＤＭアプリケーションを起動して予約日時を設定することとしたが、携帯電話のブラウザアプリケーション等からインターネットに接続して表示された画面から、ＤＭアプリケーションが自動的に起動されることとしてもよい。
【００４２】
また、本実施形態においては、通信網を移動通信網としたが、移動通信網及びこれに接続されたその他通信網を含む通信網であってもよい。
【００４３】
また、本実施形態においては、移動通信端末装置として携帯電話を用いたが、ＰＤＡ(Personal Digital Assistance)その他の移動通信端末装置であってもよい。
【産業上の利用可能性】
【００４４】
以上説明したように本発明のサーバシステムは、電子情報をダウンロードさせることのできるサーバシステムに適用することができる。また、本発明のダウンロード方法及び移動通信システムは、電子情報をダウンロードさせることのできるサーバシステムが接続された移動通信システムに適用することができる。
【図面の簡単な説明】
【００４５】
【図１】本発明の一実施形態である移動通信システム１００を概略的に示す図である。
【図２】図１の携帯電話１０の外観構成を概略的に示す図である。
【図３】図１のサーバ装置５０の内部構成を概略的に示す図である。
【図４】図１の携帯電話１０がサーバ装置５０に対して、ダウンロードの予約を行う際の処理のシーケンス図である。
【図５】図４のシーケンスが正常に行われる場合の、携帯電話１０の表示装置１３に表示される画面の遷移を示す図である。
【図６】図２の表示装置１３に、バッテリー残量が不足している旨が表示された画面を示す図である。
【図７】図２の表示装置１３に、プログラムの更新が必要ない旨が表示された画面を示す図である。
【図８】図１の移動通信システム１００において、設定日時が到来した際の処理のシーケンス図である。
【図９】図１の移動通信システム１００において、設定日時が到来した際のダウンロードが正常に行われる場合の、携帯電話１０の表示装置１３に表示される画面の遷移を示す図である。
【図１０】図１の携帯電話１０が、サーバ装置５０からプログラムをダウンロードする際の処理のシーケンス図である。
【図１１】図１０のシーケンス図において、ダウンロードが完了しなかった場合に、携帯電話１０の表示装置１３に表示される画面を示す図である。
【図１２】図１０のシーケンス図において、インストールが完了しなかった場合に、携帯電話１０の表示装置１３に表示される画面を示す図である。
【図１３】図３のサーバ装置５０に対して、コールセンタ９９からダウンロードの予約を行う際の処理のシーケンス図である。
【符号の説明】
【００４６】
１０…携帯電話（移動通信端末装置）、１２…操作部、１３…表示装置、１４…通話用スピーカ、１５…マイクロフォン、１６…案内用スピーカ、１７…アンテナ、４０…移動通信網（通信網）、４１…基地局、５０…サーバ装置、５１…制御部、５２…送受信部、５３…ダウンロード指令制御部、５４…ダウンロード制御部、５５…ＤＭアプリケーション、６１…ダウンロード指令部（ダウンロード指令手段）、６２…ダウンロード日時設定部（ダウンロード時期設定手段）、６３…更新確認部、６４…タイマ部、６５…ダウンロード実行部（ダウンロード手段）、６６…プログラム保存部、６７…ステータス保存部。
【図１】
0004691402.tif 000002
【図２】
0004691402.tif 000003
【図３】
0004691402.tif 000004
【図４】
0004691402.tif 000005
【図５】
0004691402.tif 000006
【図６】
0004691402.tif 000007
【図７】
0004691402.tif 000008
【図８】
0004691402.tif 000009
【図９】
0004691402.tif 000010
【図１０】
0004691402.tif 000011
【図１１】
0004691402.tif 000012
【図１２】
0004691402.tif 000013
【図１３】
0004691402.tif 000014